(57)【要約】  【課題】    排泄・排便後の異臭・悪臭を迅速に排除し、トイレ使用時のにおいによる不快感を回避でき、トイレ空間の空気品質を衛生的に保つ、消臭機能付き便器装置の提供。 【解決手段】    便器本体と消臭装置を備えた便器装置を含み、前記消臭装置は吸気ファンを含み、該吸気ファンは管路を介し吸気口に対して吸気を行い、該吸気口は便器本体の適当な位置に設置され、便器本体内の排泄物のにおいを迅速に吸入し、該管路を介して排出する。  【選択図】    図１ 
0003106845.tif 000002
【実用新案登録請求の範囲】
【請求項１】
便器本体と消臭装置を備えた便器装置であって、前記消臭装置は吸気ファンを含み、該吸気ファンは管路を介し吸気口に対して吸気を行い、該吸気口は該便器本体の適当な位置に設置され、便器本体内の排泄物のにおいを迅速に吸引し、該管路を介して排出することにより、トイレ空間のよい空気品質を保つ、消臭機能付き便器装置。
【請求項２】
前記便器本体の後方座面上に便座と便器蓋が軸設された、請求項１に記載の消臭機能付き便器装置。
【請求項３】
前記吸気口を該便器本体の後方座面上に設けた、請求項２に記載の消臭機能付き便器装置。
【請求項４】
前記吸気口が、該便器本体内に設けた排気通路に接続された、請求項１に記載の消臭機能付き便器装置。
【請求項５】
前記排気通路を排気管に接続し、該においを排除する管路を構成した、請求項４に記載の消臭機能付き便器装置。
【請求項６】
前記吸気口上にさらに雑物の侵入を防止するフィルターを設置した、請求項１に記載の消臭機能付き便器装置。
【請求項７】
前記便座の後方側端部に突起辺縁部を設けた、請求項２に記載の消臭機能付き便器装置。
【請求項８】
前記吸気口を吸気管上に設け、該吸気管が該管路に接続された、請求項１に記載の消臭機能付き便器装置。
【請求項９】
前記管路が、該便器本体内に設置されたの排気通路と、床や壁内に設置された排気管を含む、請求項８に記載の消臭機能付き便器装置。
【請求項１０】
前記排気通路を外付けの管体で代替した、請求項９に記載の消臭機能付き便器装置。
【請求項１１】
前記便座の後方底面に、該吸気管を位置決めするための切欠槽を設けた、請求項８に記載の消臭機能付き便器装置。
【請求項１２】
前記便座の後方底面に、該吸気管を位置決めするための槽孔を設けた、請求項８に記載の消臭機能付き便器装置。
【考案の詳細な説明】
【技術分野】
【０００１】
本考案は便器装置に関し、特に、適当な管路の設置により便器の異臭や悪臭の元を排除し、トイレ使用時の悪臭による不快感をなくし、トイレ空間のよい空気品質を保つ、消臭機能を備えた便器装置に関する。
【背景技術】
【０００２】
排泄、排便は人類が必要とする正常な生理活動であり、生理活動を経た排泄物は必然的に異臭や悪臭があり、時には飲食のためにひどいにおいを発することもある。このようなにおいは、においを発する当事者がトイレ使用中に不快に感じるだけでなく、その次にトイレを使用する人もその前の人が残したにおいに不快な思いをする状況が多々発生し、後に使用する人は我慢して使用するしかなく、これはにおいを残した人にとっても、次に使用する人にとっても、いやなものである。
【０００３】
トイレ空間に換気扇を設置し吸気を行うこともできるが、換気扇の設置する位置と気流の関係で、トイレ使用者はにおいを吸い込んでしまうことから逃れられず、また排泄後の異臭・悪臭は拡散するため、トイレの使用を終えてから、換気扇をしばらく運転させて吸気を行わなければ、異臭・悪臭を排除することができない。このため、次にトイレを使用する人は不快なにおいから逃れられず、気分が悪くなることもある。このため、人類が毎日直面する生理現象による問題をいかに効果的に解決するかが、業界または関連者の重要課題となっている。
【０００４】
前述のトイレ使用時に発生するにおいによる不快感と従来の便器構造設計上の改善点を鑑みて、本考案はその解決案を提案し、消臭効果を備えた衛生的で快適な便器装置を開発することで社会大衆に貢献し、業界の発展を促進することを願って、本考案を提案するものである。
【考案の開示】
【考案が解決しようとする課題】
【０００５】
本考案の目的は、排泄・排便後の異臭・悪臭を迅速に排除し、トイレ使用時のにおいによる不快感を回避でき、トイレ空間のよい空気品質を保つ、消臭機能付き便器装置を提供することにある。
【課題を解決するための手段】
【０００６】
上述の目的を達するため本考案が採用する技術手段は、便器本体と消臭装置を備えた便器装置を含み、前記消臭装置は吸気ファンを含み、該吸気ファンは管路を介し吸気口に対して吸気を行い、該吸気口は便器本体の適当な位置に設置され、便器本体内の排泄物のにおいを迅速に吸入し、該管路を介して排出する。    
【考案を実施するための最良の形態】
【０００７】
以下、本考案の目的、技術的特徴及びその他効果をわかりやすくするため、図面に基づき詳細に説明する。
【実施例１】
【０００８】
図１に示すように、本考案の消臭機能付き便器装置の実施例１は、便器装置１０と消臭装置２０を含む。該便器装置１０は、便器本体１１とタンク１２を含み、該便器本体１１の後方座面１１１上に便座１３及び便器蓋１４を軸設し、該便座１３の後方側端部に、該便器本体１１と密接する突起辺縁部１３１を設け、便座１３後方部によりよい耐圧効果を形成する。該消臭装置２０は吸気口２１を含み、該吸気口２１は、該便器本体１１の後方座面１１１上の、該便座１３軸設箇所の前方に設置され、該吸気口２１は該便器本体１１内の排気通路２２に通じており、該排気通路２２は、床や壁面に設けた排気管２３に接続し、該排気管２３上の適当な位置に吸気ファン２４を設置する。該吸気ファン２４は通常天井に設けることができる。さらに、該吸気口２１上フィルター２６を設置し、雑物の侵入を防いでもよい。
【０００９】
本考案の消臭機能付き便器装置の使用時には、まず該吸気ファン２４を起動し、該吸気口２１が気体吸入作用を形成し、トイレ使用時に該便器本体１１内の排泄物のにおいが、該吸気口２１の吸入力で迅速に吸入され、排気通路２２、排気管２３を通って排出される。こうして、トイレ使用者が使用中ににおいに悩まされることがなくなり、またトイレ空間の空気品質をよりよく保つことができる。
【実施例２】
【００１０】
図２に示すように、本考案の消臭機能付き便器装置の実施例２は、便器装置１０と消臭装置３０を含む。該便器装置１０は、便器本体１１とタンク１２を含み、該便器本体１１の後方座面１１１上に便座１３及び便器蓋１４を軸設し、該便座１３の後方側端部に突起辺縁部１３１を設ける。該消臭装置３０は吸気孔３１２を含み、該吸気孔３１２は、該便器本体１１の後方座面１１１上に設置され、該便器本体１１内の排気通路３２に通じており、該排気通路３２は、床や壁面に設けた排気管３３に接続し、該排気管３３上の適当な位置に吸気ファン３４を設置する。該吸気孔３１２は、該便器本体１１の後方座面１１１上に設けた吸気管３１に接続し、該吸気管３１は扁平状を呈し、前端に吸気口３１１を備え、トイレ使用時の異臭・悪臭を吸入し排気通路を介して排出する。
【実施例３】
【００１１】
図３に示すように、本考案の消臭機能付き便器装置の実施例３は、便器装置１０と消臭装置４０を含む。該便器装置１０は、便器本体１１、タンク１２、便座１３、便器蓋１４を含み、そのうち、該便座１３の後方底面に切欠槽１３２を設ける。該消臭装置４０は吸気管４１を含み、該吸気管４１を該便座１３の切欠槽１３２に嵌置し、該便座１３を下ろしたとき、該吸気管４１が該便器本体１１の後方座面１１１上に位置する。該吸気管４１は扁平状を呈し、前端にトイレ使用時の異臭・悪臭を吸入するための吸気口４１１を設ける。該吸気管４１の後端に軟質管接続体４１２を設け、該軟質管接続体４１２は該便器本体１１の排気通路４２に接続し、該排気通路４２は前述同様に排気管４３に接続しており、吸気ファン４４による吸気を受ける。
【実施例４】
【００１２】
図４A、図４Bに示すように、本考案の消臭機能付き便器装置の実施例４は、便器装置１０と消臭装置５０を含む。該便器装置１０は、便器本体１１、タンク１２、便座１３、便器蓋１４を含み、そのうち、該便座１３の後方底面に封鎖部１３０を設け、該封鎖部１３０内側に開槽状の吸入槽口１３４を形成し、該封鎖部１３０にさらに槽孔１３３を設ける。該消臭装置５０は、吸気管５１を含み、該吸気管５１は扁平状の軟質管であり、その前端に吸気口５１１を備え、該吸気口５１１は該便座１３の槽孔１３３箇所に位置決めして設け、該便座１３を下ろしたとき、該吸気口５１１が該封鎖部１３０の吸入槽口１３４を介し、トイレ使用時の異臭・悪臭を吸入する。該吸気管５１の後端は、該便器本体１１端の吸気孔５１２と通じており、該吸気孔５１２は、該便器本体１１内部に設けた排気通路５２に接続し、該排気通路５２は排気管５３に接続しており、吸気ファン５４による吸気を受ける。
【００１３】
前述の実施例において、便器本体内に設置する排気通路及び床や壁面内に設置する排気管は、においを吸引し排除するための管路を構成し、当然、該排気通路は外付けの管体で代替することもできる。さらに、該吸気口は直接該便器本体上の適当な吸気位置に設置してもよく、吸気管上に設置して、該吸気管をさらに該排気通路に接続することもでき、実施上便利に応用変化させることができる。
【００１４】
前述のように、本考案は実用新案の条件を満たしており、法に基づき実用新案の出願をするものである。上述は本考案の最良の実施例であるが、本案に関わる技術に精通した人による本考案の要旨に基づいたいかなる修飾や変化も、本考案の出願特許範囲に含まれるものとする。
【図面の簡単な説明】
【００１５】
【図１】本考案の実施例１の立体外観斜視図である。
【図２】本考案の実施例２の立体外観斜視図である。
【図３】本考案の実施例３の立体外観斜視図である。
【図４Ａ】本考案の実施例４の立体外観斜視図である。
【図４Ｂ】本考案の実施例４の立体外観斜視図である。
【符号の説明】
【００１６】
１０        便器装置
１１        便器本体
１１１      後方座面
１２        タンク
１３        便座
１４        便器蓋
２０        消臭装置
２１        吸気口
２２        排気通路
２３        排気管
２４        吸気ファン
２６        フィルター
３０        消臭装置
１３１      突起辺縁部
３１２      吸気孔
３１        吸気管
３２        排気通路
３３        排気管
３４        吸気ファン
３１１      吸気口
４０        消臭装置
１３２      切欠槽
４１        吸気管
４１１      吸気口
４１２      軟質管接続体
４３        排気管
４４        吸気ファン
５０        消臭装置
１３０      封鎖部
１３３      槽孔
１３４      吸入槽口
５１        吸気管
５１１      吸気口
５１２      吸気孔
５２        排気通路
５３        排気管
５４        吸気ファン    
【図１】
0003106845.tif 000003
【図２】
0003106845.tif 000004
【図３】
0003106845.tif 000005
【図４Ａ】
0003106845.tif 000006
【図４Ｂ】
0003106845.tif 000007